(57)【要約】【課題】手触りと意匠性とに優れた装飾シートを提供する。【解決手段】第１パルプシートと、第２パルプシートと、前記第１パルプシートと、前記第２パルプシートとの間に位置する第１装飾部と、を備えた装飾シート。【選択図】図１
2019126987.tif 000002
【特許請求の範囲】
【請求項１】
第１パルプシートと、
第２パルプシートと、
前記第１パルプシートと、前記第２パルプシートとの間に位置する第１装飾部と、を備えた装飾シート。
【請求項２】
第３パルプシートと、
前記第２パルプシートと、前記第３パルプシートとの間に位置する第２装飾部と、を備えた請求項１記載の装飾シート。
【請求項３】
前記第１パルプシートと、前記第２パルプシートと、前記第３パルプシートとを合わせた目付量は、４０ｇ/ｍ２〜１００ｇ/ｍ２である請求項２記載の装飾シート。
【請求項４】
前記第１パルプシートおよび前記第２パルプシートは、エアレイドシートである請求項１から３のいずれか一項に記載の装飾シート。
【請求項５】
前記第１パルプシートと前記第２パルプシートには、水解性のバインダーが塗布されている請求項１から４のいずれか一項に記載の装飾シート。
【発明の詳細な説明】
【技術分野】
【０００１】
この発明は、各種シートに適用可能な装飾シートに関する。
【背景技術】
【０００２】
シートに各種印刷を施し、意匠性に優れたシートが広く採用されている。また、印刷ではなく乾燥させた草花をベニア板のようなプレートに保持させて鑑賞するプレートも提案されている（特許文献１）。
【先行技術文献】
【特許文献】
【０００３】
【特許文献１】特許第２９４８５３７号公報
【発明の概要】
【発明が解決しようとする課題】
【０００４】
印刷とは異なり、実物の草花を用いることは、意匠性には優れているがベニア板のようなプレートを用いるため手触りが柔らかくないという問題があった。
そこで、本発明では、手触りと意匠性とに優れた装飾シートを提供することを目的とする。
【課題を解決するための手段】
【０００５】
請求項１記載の装飾シートは、第１パルプシートと、第２パルプシートと、前記第１パルプシートと、前記第２パルプシートとの間に位置する第１装飾部と、を備えている。
【発明の効果】
【０００６】
本発明の装飾シートは、前記第１パルプシートと、前記第２パルプシートとの間に第１装飾部があるので、手触りと意匠性とに優れた装飾シートを実現することができる。
【図面の簡単な説明】
【０００７】
【図１】図１は、本実施形態の装飾シート１を示す図である。
【図２】図２は、図１の装飾シート１の断面図である。
【図３】図３は、本実施形態の装飾シート１の製造ライン１００の概要を示す図である。
【発明を実施するための形態】
【０００８】
以下、図１〜図３に基づいて、本実施形態の装飾シート１について説明する。
図１は本実施形態の装飾シート１を示す図であり、図２は図１の装飾シート１の断面図である。図１、図２に示してあるように、装飾シート１は、シート部２および装飾部３を有している。
【０００９】
シート部２は、パルプを原料としたシートであり、粉砕されたパルプにバインダーを添加するエアレイド法により製造されたエアレイドシート２１、２２、２３を有している。エアレイドシート２１、２２、２３は、パルプを綿状に粉砕しているので、柔らかい手触りであり、吸液性にも優れている。本実施形態において、シート部２の全体の目付量は、４０ｇ/ｍ２〜１００ｇ/ｍ２であり、より好ましくは５０ｇ/ｍ２〜８０ｇ/ｍ２である。シート部２をこの程度の目付量にすれば、シート部２により装飾部３が視認しにくくなることはない。なお、シート部２の厚みは、０．３ｍｍ〜１ｍｍ程度となる。
【００１０】
本実施形態では、３つのエアレイドシート２１、２２、２３によりシート部２を構成しているが、２つのエアレイドシートによりシート部２を構成してもよく、４つ以上のエアレイドシートを用いてシート部２を構成してもよい。なお、エアレイド法により製造される装飾シート１については、図３を用いて後述する。
【００１１】
装飾部３は、シート部２を装飾する固体物質を用いることができ、生花、ドライフラワー、乾燥植物、造花、羽根、ビーズ、金箔、銀箔、お茶や海藻などを用いることができる。本実施形態では、桜の花を用いている。
【００１２】
装飾部３は、エアレイドシート２１とエアレイドシート２２との間に位置する第１装飾部３１と、エアレイドシート２２とエアレイドシート２３との間に位置する第２装飾部３２とを有しているが、２つのエアレイドシートを用いる場合には第２装飾部３２を省略し、４つ以上のエアレイドシートを用いる場合には、装飾部を適宜追加すればよい。
【００１３】
本実施形態のように、シート部２を３つのエアレイドシート２１、２２，２３で構成し、装飾部３を第１装飾部３１、第２装飾部３２で構成した場合には、装飾シート１をエアレイドシート２１側から視認した場合には、第１装飾部３１が視認しやすく、装飾シート１をエアレイドシート２３側から視認した場合には、第２装飾部３２が視認しやすい。このため、装飾シート１をどちらから見ても装飾部３を視認しやすく意匠性が向上している。なお、第１装飾部３１と第２装飾部３２とは、同じ装飾物でもよく、異なる装飾物でもよい。例えば、第１装飾部３１を桜の蕾とし、第２装飾部３２を桜の花として成長の関連性を持たせたり、第１装飾部３１を桜の花とし、第２装飾部３２をつつじの花として季節の関連性を持たせたりしてもよい。
【００１４】
本実施形態の装飾シート１は、フェイスマスク、壁紙、テーブルクロス、ラッピングシート、本のカバー、ふきん、タオル、脂取りシートなどの各種シートに適用することができる。また、シート部２はパルプを原料にしており、白い色であるため、装飾部３が良く映え、意匠性が向上している。
【００１５】
図３は、本実施形態の装飾シート１の製造ライン１００の概要を示す図である。以下、図３を用いて装飾シート１の製造方法につき説明を行う。
この製造ライン１００の製造工程は、大きく分けて、粉砕工程、積繊工程、押圧工程、バインダー塗布工程、乾燥工程を有している。
【００１６】
（粉砕工程）
粉砕装置１０２は、一次粉砕部と、二次粉砕部とを有し、一次粉砕部により原料パルプ１０１をチップ状に粉砕し、二次粉砕部によりチップ状に粉砕された原料パルプ１０１を綿状に粉砕する。
【００１７】
（積繊工程）
綿状に粉砕されたパルプは、高圧エアなどにより配管１０３を通過して３つのタンク１０４ａ、１０４ｂ、１０４ｃに蓄えられる。本実施形態では、積繊装置１０４が３つのタンク１０４ａ、１０４ｂ、１０４ｃから構成されているがこれに限定されるものではない。
第１供給部１０５は、タンク１０４ａとタンク１０４ｂとの間に設けられ、第２装飾部３２を構成する装飾部材を供給するものである。
第２供給部１０６は、タンク１０４ｂとタンク１０４ｃとの間に設けられ、第１装飾部３１を構成する装飾部材を供給するものである。
本実施形態において、第１供給部１０５、第２供給部１０６は、乾燥されていない桜の花を供給するものとする。これは後述する乾燥工程において、桜の花を乾燥することができるからである。なお、第１供給部１０５、第２供給部１０６は、乾燥した桜の花を供給しても構わない。
【００１８】
タンク１０４ａに蓄えられた粉砕パルプは、下側搬送用メッシュ１０９上に積繊されエアレイドシート２３を構成する。第１供給部１０５は、このエアレイドシート２３に桜の花を供給し、第２装飾部３２を構成する。
タンク１０４ｂに蓄えられた粉砕パルプは、エアレイドシート２３上に積繊されエアレイドシート２２を構成する。第２供給部１０６は、このエアレイドシート２２に桜の花を供給し、第１装飾部３１を構成する。
タンク１０４ｃに蓄えられた粉砕パルプは、エアレイドシート２２に積繊されエアレイドシート２１を構成する。以下、積繊された粉砕パルプと装飾部材とを総称して装飾シート１と呼ぶ。なお、図面の複雑化を避けるため、装飾シート１の図示は一部省略している。
【００１９】
下側搬送用メッシュ１０９は、不図示の駆動源からの駆動力により積繊工程を経た装飾シート１を図中のＸ方向に搬送する。なお、下側搬送用メッシュ１０９は、４つのロール１１０により所定の駆動範囲（積繊工程から平ロール１１２による押圧工程）で繰り返し装飾シート１を搬送している。
【００２０】
下側搬送用メッシュ１０９の下方には、真空装置１１１が配置されている。真空装置１１１は、網目形状の下側搬送用メッシュ１０９を介して装飾シート１を吸着するものである。
【００２１】
（第１押圧工程）
積繊工程に引き続き押圧工程にて装飾シート１が押圧される。本実施形態において、押圧工程は、後述の第１バインダー塗布工程までに押圧を行う第１押圧工程と、後述の第１乾燥工程後かつ後述の第２バインダー塗布工程前までに押圧を行う第２押圧工程とを有する。
第１押圧工程は、一対の平ロール１１２により装飾シート１を押圧して、その嵩高を調整するものである。
【００２２】
本実施形態においては、バインダー塗布工程は、第１バインダー塗布工程と第２バインダー塗布工程とを有し、第１バインダー塗布工程と第２バインダー塗布工程との間に後述の第１乾燥工程が入る。ここでは、第１バインダー塗布工程につき説明を行う。
【００２３】
（第１バインダー塗布工程）
第１バインダー塗布工程は、装飾シート１の上面に対して、複数のノズルを有する第１塗布装置１２１によりバインダーを塗布するものである。本実施形態では、バインダーとしてカルボキシメチルセルロースを用いるものとするが、これに限定されるものではない。
【００２４】
カルボキシメチルセルロースのような水溶性バインダーとすれば、装飾シート１が水解性となる。このため、水中に投棄された場合のように、水に著しく浸された状態では、バインダーの接着力が極端に低下し、何らかの外力を与えると容易に分解ないし分散する。このため、装飾部３として金箔や銀箔を用いた場合には、装飾シート１を水解させて装飾部３を再利用することができる。
【００２５】
バインダーが浸透した装飾シート１は、網目形状の下側搬送用メッシュ１１８上に載せられるとともに、下側搬送用メッシュ１１８の下方に設けられた真空装置１２０により−Ｚ方向に吸着された状態で、Ｘ方向に搬送される。
なお、下側搬送用メッシュ１１８は、４つのロール１１９により所定の駆動範囲（第１バインダー塗布工程）で繰り返し装飾シート１を搬送している。
【００２６】
（第１乾燥工程）
第１乾燥工程は、網目形状の下側搬送用メッシュ１２２上に載せられた装飾シート１に対して、第１乾燥装置１２４により、矢印で示してあるように装飾シート１の上面側から熱風乾燥が行われ、８０℃〜１６０℃の熱風が供給される。これにより、乾燥していない桜の花を装飾部３として用いた場合でも桜の花が乾燥し、予め桜の花を乾燥させる手間を省くことができる。
なお、下側搬送用メッシュ１２２は、下側搬送用メッシュ１２２の搬送面の下方に位置する真空装置１２５により装飾シート１を吸着した状態で４つのロール１２３（２つのみ図示）により所定の駆動範囲（第１乾燥工程）で繰り返し装飾シート１を搬送している。
【００２７】
（第２押圧工程）
製造ライン１００では、第１乾燥工程に引き続き第２押圧工程が行われる。第２押圧工程は、一対のエンボス１２６により行われる。この一対のエンボス１２６によりエアレイドシート２１、２３の表面に各種マークを形成してもよい。なお、第２押圧工程においては、エンボスロールに代えて平ロールを用いた押圧を行うこととしてもよい。また、第２押圧工程を省略してもよい。
【００２８】
（第２バインダー塗布工程）
第２バインダー塗布工程は、装飾シート１の下面に対して、装飾シート１の下方に配置され、装飾シート１に対向する複数のノズルを有する第２塗布装置１３０によりバインダーを塗布するものである。本実施形態では、バインダーとして、カルボキシメチルセルロースを用いるものとする。
装飾シート１は、装飾シート１と接触する網目形状の上側搬送用メッシュ１２７を介して真空装置１２９により＋Ｚ方向に吸着された状態で、Ｘ方向に搬送される。なお、上側搬送用メッシュ１２７は、４つのロール１２８により所定の駆動範囲（第２バインダー塗布工程）で繰り返し装飾シート１を搬送している。
【００２９】
（第２乾燥工程）
第２乾燥工程において、装飾シート１は、装飾シート１の上面に接触する網目形状の上側搬送用メッシュ１３１を介して、上側搬送用メッシュ１３１の搬送面の上方に配置された真空装置１３２により＋Ｚ方向に吸着された状態で、Ｘ方向に搬送される。第２乾燥工程において、第２乾燥装置１３３は、矢印で示すように、装飾シート１の下面側から熱風乾燥が行われ、８０℃〜１６０℃の熱風が供給される。例えば、第１乾燥工程において第２装飾部３２が乾燥しない場合でも第２乾燥工程において第２装飾部３２を乾燥させることができる。
なお、上側搬送用メッシュ１３１は、前述したように真空装置１３２により装飾シート１を吸着した状態で４つのロール１３４（２つのみ図示）により所定の駆動範囲（第２乾燥工程）で繰り返し装飾シート１を搬送している。
【００３０】
製造ライン１００では、第２乾燥工程を経て水解性の装飾シート１となり、この装飾シート１は搬送ロール１３５により搬送され、２つの巻取りロール１３６、１３７により巻き取られる。
【００３１】
以上、本実施形態を説明してきたが、これに限られるものではなく、種々の変更や、適宜の組み合わせが可能であることは言うまでもない。例えば、装飾シート１を非水解性のシートとしてもよい。また、装飾シート１に薬液を塗布してフェイスマスクとしてもよく、芳香剤などを塗布してもよい。
なお、装飾シート１をフェイスマスクに適用する場合、装飾部３としては、前述のお茶、海藻に限らず、その他の肌に有効なものを採用してもよく、更に、その成分を抽出して装飾シート１に添加してもよい。更に、バインダーを用いず熱融着繊維（例えば複合繊維）によりエアレイドシートを製造してもよい。
【符号の説明】
【００３２】
１    装飾シート          ２  シート部          ３    装飾部
２１  エアレイドシート  ２２  エアレイドシート  ２３  エアレイドシート
３１  第１装飾部        ３２  第２装飾部
【図１】
2019126987.tif 000003
【図２】
2019126987.tif 000004
【図３】
2019126987.tif 000005